(57)【特許請求の範囲】
【請求項１】
釣りに使用されるフライの製作加工具であって、一定の長さのグリップ端部に、フック付き弾性針金二本を略Ｖ字状に取り付け、該二本の弾性針金の根元部に、紐状マテリアルを保持する挟み部材を備えた構成を特徴とするフライ製作用ダビングツイスター。
【請求項２】
グリップの端部に取り付ける紐状マテリアルの挟み部材が、線材を二つ折りした形状を成すコアクリップの一方を、前記グリップの端部に取り付けた構成である、請求項１に記載するフライ製作用ダビングツイスター。
【請求項３】
グリップの端部に取り付けられる、二本のフック付き弾性針金の中ほどが、適度に曲げられた屈曲部を有する弾性針金とし、該弾性針金の屈曲部より上部及びフック部が交叉して成る構成である、請求項１又は請求項２に記載するフライ製作用ダビングツイスター。
【請求項４】
二本のフック付き弾性針金が、グリップの端部寄りに可動形成して成る、回転基部に取り付けた構成である、請求項１〜請求項３のいずれか一つの項に記載するフライ製作用ダビングツイスター。
【請求項５】
紐状マテリアルの挟み部材とするコアクリップが、グリップに可動自在に形成された回転基部に取り付けられる構成である、請求項４に記載するフライ製作用ダビングツイスター。
【請求項６】
二本の弾性針金の端部に設けるフックが、前記した二本の弾性針金を結ぶ線に対して、一方側に略直角状の角度に曲げ形成した構成である、請求項１〜請求項５のいずれか一つの項に記載のフライ製作用ダビングツイスター。
【発明の詳細な説明】
【０００１】
【発明が属する技術分野】
本発明は、フライフイッシングに用いられるフライ（毛鈎とも称す）を製作するための、機能的にして扱い易いダビングツイスターに関する。
【０００２】
【従来の技術】
従来より、フライフイッシングを行う人の中で、熱心な釣り人においては、羽毛や獣毛、化学繊維（マテリアル）やスレッド（フライ加工用の糸）などを用いて、釣り針（フックとも称す）に昆虫や小魚、小動物などを模した擬似餌を製作したフライを作り、自分の気にいったオリジナルなフライを用いて釣りを行っているが、とりわけ最近は、熟練者でなくてもフライタイイング（フライ製作）を楽しむマニアも多くなって来ている。
【０００３】
そのフライタイイングの際には、前記する羽毛や獣毛、化学繊維などのマテリアル材料とスレッドを用いて、様々な昆虫や小魚等を模した擬似餌を釣り針に取り付けるが、その際、釣り針にマテリアルを巻き付ける手法として古くから行われる方法は、バイスに固定した釣り針にスレッドを手巻きしながら、様々なマテリアルを取り付けながら、擬似餌となるフライタイイングを行っている。
【０００４】
他方、近年はフライタイイング専用の様々な加工器具も提供され、その中でもフライのボディ製作に有効な器具として、図１０に示すようなグリップの一端部に、フックを有する二本の弾性針金をＶ字状に取り付けたダビングツイスターなる器具があり、使用する時は、バイスに固定した釣り針から二つ折りして延長するスレッドを、前記したダビングツイスターのフックに掛け渡した上で、そのスレッドの両サイドに擬似餌を形成する獣毛や羽毛などのマテリアルを付けた後に、前記するグリップを回すことで、スレッドと撚り合わされて成るマテリアルを釣り針に巻き付けて、効果的でリアルなボディを成するフライ作りに便利なものであり、細かい作業が求められるフライタイイングが、さらに効率よくスピーディに行える加工具の一つとして欠かせないものであり、現在では一般的に用いられている。
【０００５】
【発明が解決しようとする課題】
以上のようなフライ製作用の加工具となるダビングツイスターが提供され、熟練者でなくてもフライの製作がしやすくなっている。しかし、便利なダビングツイスターではあるが、フライ製作する者にとっては、さらに効果的にしてスピーディに、かつ高いオリジナル性と天然により近い擬似餌を形成するフライを求めることは、フライタイイングを行う者にとって常に求めるところであるが、提供されているダビングツイスターでは、以下に示すような使いにくさや不便があり、満足する加工具であるとまでは言えなかった。また、それに代わる機能的なダビングツイスターも提供されていないのが現状である。
【０００６】
従来のダビングツイスターは、フック付きの弾性針金二本を、グリップ端部に略Ｖ字状に取り付けたシンプルな構成であり、使用する際は、バイスに固定された釣り針に巻き付けられて延長する二つ折りしたスレッドを、前記二つのフックに掛け渡した後にグリップを回転させることで、二本のスレッドに付けられた獣毛や羽毛等のマテリアルを巻き込めるが、それ以外の、例えば毛糸や光り物などの紐状マテリアルを別途に追加して撚り込むには構造的に難しく、複合的にマテリアルを付加するには、一部手作業も組み合わせたりしなくてはならないなど、慣れない者には使い勝手が悪かった。さらにグリップを回すにつれ、スレッドを掛けた二つのフック付き弾性針金は狭まるが、撚り作業を終えた後にスレッドからフックを外す際は、二つのフックの開放部が外側向きであるので、撚りを最後まで行うとスレッドの隙間が無くなるので、取り外しにくいなどの使いにくさがあった。加えて、これらの不便や使いにくさを解消したダビングツイスターはいまだ提供されていなかった。
【０００７】
【課題を解決するための手段】
本発明は、従来のダビングツイスターがもつ不便や欠点を解消し、二つのフックに掛け渡したスレッド以外に、別途の紐状マテリアル材を複合的に撚り込めるむダビングツイスターを提供するために成すものであり、まず、グリップの端部に取り付ける二本のフック付き弾性針金の根元部に、別途に、紐状マテリアルを保持することができるコアクリップを備えたダビングツイスターを基本構成とし、さらに発展するものとして、前記するフック付き弾性針金の中ほどを曲げたもの二本を交叉させたタイプや、フック付き弾性針金の取り付け部が回転するタイプなどの、いずれもコアクリップ付きダビングツイスターを構成する。
【０００８】
【発明の実施の形態】
本発明の実施例１におけるダビングツイスター７は、従来見られるようなグリップ１端部に取り付けられた、二本のフック３付き弾性針金２，２の根元部位に、別途にコアクリップ６を備えているので、使用する際は、バイスＡに固定した釣り針Ｂに巻き付けたスレッドＥを二つ折りしたものを、前記する二つのフック３，３に掛け渡した上で、獣毛や羽毛などのマテリアルＣを付けるとともに、別途、紐状マテリアルＤの一端を前記の釣り針Ｂに巻き付けるか、もしくは二本のスレッドＥの根元部位にひねり合わせた他方部を、図３に示すように、コアクリップ６に挟み留めてからグリップ１を回転させると、前記フック３に掛け渡したスレッドＥに付けた獣毛や羽毛等のマテリアルＣとともに、紐状マテリアルＤも合わせた異なる素材を複合的に、一度で巻き込めるダビングツイスター７を可能とする。
【０００９】
実施例２によるダビングツイスター７は、二本のフック３付き弾性針金２の中ほどを一定角度曲げた屈曲部８を有するもの二本を、グリップ１の端部４に取り付けられるのは実施例１と同じであるが、二本の弾性針金２，２の屈曲部８，８より上部が、それぞれ交叉するようにしてグリップ１に固定した根元部に、コアクリップ６，６を二つ設けた構成である。
【００１０】
したがって使用する際は図７の（イ）（ロ）（ハ）（ニ）図に示す作用例図のように、まずフック３に掛け渡したスレッドＥの両サイドに獣毛や羽毛などのマテリアルＣを付け、他方、紐状マテリアルＤの端をダビングツイスター７のコアクリップ６に挟み留めた上でグリップ１を回転させると、二つのフック３，３は次第に狭まり、他方、二本の弾性針金２の屈曲部８，８は広がる。さらに回転させてスレッドＥを撚りきると、二つのフック３，３は接触するまで近付いて、一連の撚り作業が終わる。後はダビングツイスター７を取り外す作業として、紐状マテリアルＤをコアクリップ６から取り外す。さらに、フック３に掛けたスレッドＥを外す場合は、二つのフック３，３は狭まっているので外しにくいが、屈曲部８，８を左右から指で押し圧すると、二つのフック３，３間は広がって隙間Ｆができるので、その隙間Ｆにピンなど差し入れてフック３から取り外す。
【００１１】
尚、実施例２のフック３の角度は、二本の弾性針金２，２を結ぶ線に対して略直角状に形成されているので、例え、撚り終わって二つのフック３が狭まっても、図６に示すようにして容易にスレッドＥから取り外せる角度である。また二つのコアクリップ６，６を設けているので、さらに別の紐状マテリアルＤを追加して複合的に撚り込むことも可能である。
【００１２】
実施例３におけるグリップ１端部には、前記実施例２と同様にコアクリップ６を備えているが、二本のフック３付き弾性針金２は、前記グリップ１の端部寄りに、滑らかに回転する回転基部１０に取り付けられた構成であるので、二つのフック３に掛け渡したスレッドＥを撚り込む際は、グリップ１を一方の手で握ったままで、他方の手で回転基部１０を強く回すと、ベアリング９内蔵と適度な重さの勢いを得て、一度の操作で最後まで回転させて撚り込めるので、前記各実施例のようにグリップ１本体を一々手で回す面倒もなく、獣毛や羽毛などのマテリアルＣとともに紐状マテリアルＤも、スピーディにして効果的に巻き込めるダビングツイスター１を構成する。
【００１３】
【実施例】
実施例１
本発明の実施例１のダビングツイスターを図１に示す一部省略斜視図と図２に示す平面図、図３に示す使用状態図を参照して説明する。
まず、一定の長さと太さのグリップ１の一端部に、弾性針金２の端部を折り曲げて成るフック３付き弾性針金２二本を、前記したグリップ１の端部４に、二つのフック２，２の開放部が外向きになるようにして略Ｖ字状に取り付け、その二本の弾性針金２，２が固定された前記グリップ１間には、紐状マテリアルＤを保持できる挟み部材５として、バネ性針金等の線材を二つ折りして成るコアクリップ６の一方を、前記グリップ１の端部４に埋め込みように取り付けて、実施例１のダビングツイスター７を構成する。
【００１４】
実施例２
実施例２に示すダビングツイスターの一部省略斜視図と図５に示す平面図、図６のダビングツイスターのフック部を示す側面図を参照して説明する。
実施例２におけるダビングツイスター７は、グリップ１に取り付けるフック３付き弾性針金２は、一定長の線材の中ほどを約２０°前後曲げて屈曲部８を有する弾性針金２とし、その屈曲部８を持つ弾性針金２二本を、屈曲部８，８から上部及びフック３，３部が交叉するようにして、前記グリップ１の端部４に固定し、さらに二本の弾性針金２，２の根元の両側部に、一方が一定長ある二つのコアクリップ６，６の開放部が外向きになるようにした紐状マテリアルＤの挟み部材５を、前記グリップ１の端部４に取り付けたダビングツイスター７を構成する。
【００１５】
尚、前記実施例１に示す二つのフック３部を結ぶ線は、図２の平面図に見られるように直線状であるが、実施例２に示す二つのフック３，３は、図５の平面図に示すように、二本の弾性針金２，２を結ぶ線に対して、略直角状に曲げ形成した角度を成すフック３付き弾性針金２，２二本を組み合わせている。
【００１６】
実施例３
実施例３のダビングツイスターを図８に示す一部省略斜視図と図９に示す一部省略断面図を参照して説明する。
本実施例における二本のフック３付き弾性針金２，２は、前記各実施例と異なり、グリップ１の端部には直接固定されないタイプである。まずグリップ１の端部４には、紐状マテリアルＤの挟み部材５となる、二つのコアクリップ６，６の開放部が外向きになるように固定し、そのグリップ１の端部４寄り周部を少し細くして、その部位にベアリング９を内蔵して滑らかに回る回転基部１０を可動形成し、その回転基部１０の上部に、実施例２と同様の曲げ角度を成すフック３付き弾性針金２，２二本を、略Ｖ字状を成す角度で前記回転基部１０に取り付けて、実施例３のダビングツイスター７を構成する。
【００１７】
この発明におけるダビングツイスター７は以上のような構成とするが、その特徴とするコアクリップ６の素材は、バネ性の針金材などを曲げたものであるが、合成樹脂素材など用いてもよい。また紐状マテリアルＤを挟み留められるものであればいずれの部材でもよく、例えば通常見られるクリップを採用しても差し支えない。
【００１８】
さらに実施例３に示すタイプは、グリップ１周部を回わる回転基部１０に、二本のフック３付き弾性針金２を取り付け、コアクリップ６はグリップ１端部４に固定したもの図示しているが、フック３付き弾性針金２とコアクリップ６が同じ回転部材に取り付けて、同時に回転する手段を用いてもよいものであり、いずれも特に限定しないものである。
【００１９】
【発明の効果】
本発明は以上のようなダビングツイスターを構成するので、従来のツイスターには見られない次のような長所や効果を提供する。
この発明におけるダビングツイスターは、グリップ端部に取り付けた、二本のフック付き弾性針金の根元部位に、紐状のマテリアルをはさみ留めることができるコアクリップを備えているので、二つのフックに掛け渡したスレッドに付けた獣毛や羽毛等のマテリアルとともに、紐状マテリアルも撚り合わせることが一度で行えるので、慣れない者であっても容易にしてスピーディに、より自然な感じをリアルに表現したマテリアルボディを成すフライを製作することができる、機能的にして効果的なダビングツイスターを提供する。
【００２０】
加えて、実施例２に示すタイプは、二本のフック付き弾性針金の中ほどが曲げられた上部がそれぞれ交叉しているので、スレッドを掛けた上でグリップを回転する際は、速やかに順応して二本の弾性針金が狭まるので、さらに撚り作業がスムーズに行える。また実施例３示すタイプは、フック付き弾性針金の取り付け部が、ベアリングを内蔵した回転基部に固定されているので、スレッドを撚り込む際は、グリップを握ったまま回転基部を強く回すと、適度な重さの勢いを得て一度でマテリアルを付けたスレッド及び紐状マテリアルの巻き込み作業が行える。またいずれのタイプも構成はシンプルであるので、取り扱い易さはもとより、安価に供給することが可能なフライ製作用のダビングツイスターである。
【図面の簡単な説明】
【図１】本発明の実施例１のダビングツイスターを示す一部省略斜視図。
【図２】実施例１のダビングツイスターを示す平面図。
【図３】実施例１のダビングツイスターの使用例図。
【図４】実施例２を示すダビングツイスターの一部省略斜視図。
【図５】実施例２のダビングツイスターを示す平面図。
【図６】実施例２のダビングツイスター使用状態のフック部を示す側面図。
【図７】実施例２のダビングツイスターの使用時における、ダビングツイスター及びスレッドの変化状態を示す作用例図。
【図８】実施例３のダビングツイスターを示す一部省した略斜視図。
【図９】実施例３のダビングツイスターを示す一部省略断面図。
【図１０】従来のダビングツイスターを示す正面図。
【符号の説明】
１・・・グリツプ
２・・・弾性針金
３・・・フック
４・・・端部
５・・・挟み部材
６・・・コアクリップ
７・・・ダビングツイスター
８・・・屈曲部
９・・・ベアリング
１０・・回転基部
Ａ・・・バイス
Ｂ・・・釣り針
Ｃ・・・マテリアル
Ｄ・・・紐状マテリアル
Ｅ・・・スレッド
Ｆ・・・隙間
【図１】
0004718721.tif 000002
【図２】
0004718721.tif 000003
【図３】
0004718721.tif 000004
【図４】
0004718721.tif 000005
【図５】
0004718721.tif 000006
【図６】
0004718721.tif 000007
【図７】
0004718721.tif 000008
【図８】
0004718721.tif 000009
【図９】
0004718721.tif 000010
【図１０】
0004718721.tif 000011